(57)【要約】【課題】調光モードでの照明負荷の明るさをユーザの要望に応じて適宜調整する。【解決手段】制御回路７は、周囲の照度が基準照度以下であるときに熱線センサ４が人体を検知すると照明負荷Ｌを全点灯させる通常モード、及び周囲の照度が基準以下であるときに熱線センサ４が人体を検知すると照明負荷Ｌを調光点灯させる調光モードを有し、照明負荷Ｌを点灯制御する。この制御回路７は、ユーザの調光時間設定部６２への操作によって、調光モードを選択するとともに調光モードの選択時間を設定し、さらにユーザの調光レベル設定部６３への操作によって、調光モード選択時の照明負荷Ｌの調光レベルを設定する。【選択図】図１
2008270103.tif 000002
【特許請求の範囲】
【請求項１】
調光点灯可能な照明負荷及び電源と接続する熱線センサ付自動スイッチであって、
人体からの熱線を検知する熱線センサと、
前記熱線センサが人体を検知すると前記照明負荷を全点灯させる通常モード、及び前記熱線センサが人体を検知すると前記照明負荷を調光点灯させる調光モードを有する制御手段と、
前記調光モードを選択するための調光モード選択手段と、
前記調光モードでの前記照明負荷の調光レベルを設定するための調光レベル設定手段と
を備えることを特徴とする熱線センサ付自動スイッチ。
【請求項２】
器体と、
前記器体の前面の両側部のうち一方に枢支され他方で回動自在となる操作ハンドルと、
前記器体の前面に露出する操作子を有し当該器体に収納される操作スイッチとを備え、
前記制御手段が、前記調光モードのときに前記操作ハンドルで前記操作子が押されると、前記照明負荷を全点灯させ、前記照明負荷を全点灯させているときは前記調光モードに復帰させる
ことを特徴とする請求項１記載の熱線センサ付自動スイッチ。
【請求項３】
人体からの熱線を検知する機能を有する子器と接続するための接続端子を備え、
前記制御手段が、前記調光モードのときに前記子器が人体を検知すると前記照明負荷を調光点灯させる
ことを特徴とする請求項１又は２記載の熱線センサ付自動スイッチ。
【請求項４】
前記電源及び前記照明負荷の直列回路に挿入される半導体スイッチと、
前記半導体スイッチと並列状態で前記直列回路に挿入される接点式リレーとを備え、
前記制御手段が、前記調光モードのときに前記熱線センサが人体を検知すると、前記接点式リレーをオフにし前記半導体スイッチを位相制御することによって前記照明負荷を調光点灯させる一方、前記通常モードのときに前記熱線センサが人体を検知すると、前記照明負荷の点灯開始時及び点灯終了時に前記接点式リレーをオフにし前記半導体スイッチを位相制御して前記照明負荷を調光点灯させる期間を設け、前記点灯開始時の期間経過後、前記接点式リレーをオンにし前記半導体スイッチをオフにすることによって前記照明負荷を全点灯させる
ことを特徴とする請求項１乃至３のいずれか１項に記載の熱線センサ付自動スイッチ。
【発明の詳細な説明】
【技術分野】
【０００１】
本発明は、照明負荷を調光制御する熱線センサ付自動スイッチに関するものである。
【背景技術】
【０００２】
照明負荷を調光制御する従来の熱線センサ付自動スイッチとして、人体からの熱線を検知する熱線センサと、周囲の照度を検知する明るさセンサとを備え、図１２（ａ）に示すように、明るさセンサが検知した照度が基準照度以下であって熱線センサが人体からの熱線を検知すると、照明負荷を動作保持時間Ｔが経過するまで全点灯させるもの（第１従来例の熱線センサ付自動スイッチ）がある。明るさセンサの基準照度及び照明負荷を全点灯させる動作保持時間Ｔは、図１２（ｂ）のような設定部で予め設定される。
【０００３】
また、従来の熱線センサ付自動スイッチの他の例として、特許文献１には、人の存在を検出していないときの照明負荷の調光レベルを設定するためのつまみを備える熱線感知式自動スイッチ（第２従来例の熱線センサ付自動スイッチ）が開示されている。
【０００４】
ところが、上記第１，２従来例の熱線センサ付自動スイッチには、熱線センサが熱線を検知すると照明負荷を全点灯させることから、例えば深夜などであっても照明負荷の明るさを調整することができず、必要以上の明るさとなってしまうという問題があった（図１２（ａ）参照）。
【０００５】
上記問題を解決する従来の熱線センサ付自動スイッチとして、特許文献２には、図１３（ａ）に示すように熱線センサが人体からの熱線を検知すると照明負荷を全点灯ではなく、全点灯の２０％で調光点灯させる深夜モード（調光モード）を有するもの（第３従来例の熱線センサ付自動スイッチ）が開示されている。深夜モードの設定は、図１３（ｂ）に示すような設定部で予め設定される。
【特許文献１】特開２０００−２８６０６８号公報（段落００１０及び図５）
【特許文献２】特開２００５−１８３３１９号公報（段落００５１及び図７）
【発明の開示】
【発明が解決しようとする課題】
【０００６】
しかしながら、第３従来例の熱線センサ付自動スイッチには、調光モードでの照明負荷の調光レベルが初期段階で既に固定されていることから、ユーザが明るすぎると感じたり、逆に暗すぎると感じたりしても、ユーザの要望に応じて調光レベルを調整することができないという問題があった。
【０００７】
本発明は上記の点に鑑みて為されたものであり、その目的は、調光モードでの照明負荷の明るさをユーザの要望に応じて適宜調整することができる熱線センサ付自動スイッチを提供することにある。
【課題を解決するための手段】
【０００８】
請求項１の発明は、調光点灯可能な照明負荷及び電源と接続する熱線センサ付自動スイッチであって、人体からの熱線を検知する熱線センサと、前記熱線センサが人体を検知すると前記照明負荷を全点灯させる通常モード、及び前記熱線センサが人体を検知すると前記照明負荷を調光点灯させる調光モードを有する制御手段と、前記調光モードを選択するための調光モード選択手段と、前記調光モードでの前記照明負荷の調光レベルを設定するための調光レベル設定手段とを備えることを特徴とする。
【０００９】
請求項２の発明は、請求項１の発明において、器体と、前記器体の前面の両側部のうち一方に枢支され他方で回動自在となる操作ハンドルと、前記器体の前面に露出する操作子を有し当該器体に収納される操作スイッチとを備え、前記制御手段が、前記調光モードのときに前記操作ハンドルで前記操作子が押されると、前記照明負荷を全点灯させ、前記照明負荷を全点灯させているときは前記調光モードに復帰させることを特徴とする。
【００１０】
請求項３の発明は、請求項１又は２の発明において、人体からの熱線を検知する機能を有する子器と接続するための接続端子を備え、前記制御手段が、前記調光モードのときに前記子器が人体を検知すると前記照明負荷を調光点灯させることを特徴とする。
【００１１】
請求項４の発明は、請求項１乃至３のいずれか１項の発明において、前記電源及び前記照明負荷の直列回路に挿入される半導体スイッチと、前記半導体スイッチと並列状態で前記直列回路に挿入される接点式リレーとを備え、前記制御手段が、前記調光モードのときに前記熱線センサが人体を検知すると、前記接点式リレーをオフにし前記半導体スイッチを位相制御することによって前記照明負荷を調光点灯させる一方、前記通常モードのときに前記熱線センサが人体を検知すると、前記照明負荷の点灯開始時及び点灯終了時に前記接点式リレーをオフにし前記半導体スイッチを位相制御して前記照明負荷を調光点灯させる期間を設け、前記点灯開始時の期間経過後、前記接点式リレーをオンにし前記半導体スイッチをオフにすることによって前記照明負荷を全点灯させることを特徴とする。
【発明の効果】
【００１２】
請求項１の発明によれば、調光モードでの照明負荷の調光レベルをユーザが設定することができるので、調光モードでの照明負荷の明るさをユーザの要望に応じて適宜調整することができる。
【００１３】
請求項２の発明によれば、ユーザによる操作ハンドルへの押操作によって、調光モードの設定を保持したままで照明負荷の点灯状態の一時的な切替を容易に行うことができる。
【００１４】
請求項３の発明によれば、例えば廊下などで用いられる場合に子器を接続することによって、複数個所における人体検知に基づいて照明負荷を点灯制御することができる。
【００１５】
請求項４の発明によれば、通常モードのときに照明負荷を全点灯させる場合に半導体スイッチではなく接点式リレーを用いることによって、照明負荷が高容量負荷であっても半導体スイッチの温度上昇を防止することができる。一方、照明負荷に対して、点灯開始時及び点灯終了時に接点式リレーをオフにし半導体スイッチを位相制御することによって、例えば連続的に調光レベルを高くして点灯させるソフト点灯や、点灯終了を知らせるために段階的に調光レベルを下げて点灯させるお知らせ消灯などを行うことができ、高級感を演出することができる。また、調光モードのときにおいても、接点式リレーをオフにし半導体スイッチを位相制御することによって、調光レベルを任意に調整することができる。
【発明を実施するための最良の形態】
【００１６】
（実施形態１）
まず、実施形態１の熱線センサ付自動スイッチの回路的構成について図１〜４を用いて説明する。この熱線センサ付自動スイッチＡは、図１に示すように、調光点灯可能な照明負荷Ｌ、例えば商用電源などの交流電源ＡＣ及び子器Ｍと接続するものであり、それぞれが交流電源ＡＣ、照明負荷Ｌ及び子器Ｍと接続する複数の端子１０，１１，１２を有する端子群１と、交流電源ＡＣからの交流電力を用いて自己及び子器Ｍの駆動電源を生成する電源部２と、交流電源ＡＣ及び照明負荷Ｌの直列回路に挿入されるトライアック（半導体スイッチ）３と、人体からの熱線を検知する熱線センサ４と、周囲の照度を検知する明るさセンサ５と、ユーザの操作によって後述の内容が設定される設定部６と、照明負荷Ｌを点灯制御する制御回路７とを備えている。
【００１７】
子器Ｍは、人体からの熱線を検知する熱線センサ（図示せず）と、周囲の明るさを検知する明るさセンサ（図示せず）とを備え、自己の熱線センサ及び明るさセンサの検知内容を含む検知信号を熱線センサ付自動スイッチＡに出力する。
【００１８】
電源部２は、交流電源ＡＣからの交流電力を電源回路２０で直流電力に変換し、この直流力を１８〜２４Ｖ電源回路２１で変圧する。変圧された直流電力は子器Ｍ及び後述のトライアック制御回路３０に供給される。また、制御回路７の電力は制御部電源回路２２で生成される。
【００１９】
トライアック３は、トライアック制御回路３０を通じて制御回路７による位相制御によって、両端間が電気的にオンする時間を変動する。これにより、交流電源ＡＣから照明負荷Ｌへの電力供給時間が変動するので、照明負荷Ｌは全点灯したり調光点灯したりすることができる。
【００２０】
熱線センサ４は例えば焦電素子などのセンサ素子を備え、人体の熱線の変化を検知信号（電気信号）に変換して制御回路７に出力する。一方、明るさセンサ５は例えばＣｄＳやフォトＩＣなどであり、検知信号を制御回路７に出力する。
【００２１】
設定部６は、明るさセンサ５の明るさ検知レベル（基準照度）を設定するための明るさセンサ設定部６０と、照明負荷Ｌの動作保持時間（点灯時間）を設定するための動作保持時間設定部６１と、後述の調光モードを選択するとともに調光モードの選択時間を設定するための調光時間設定部（調光モード選択手段）６２と、調光モードでの照明負荷Ｌの調光レベルを設定するための調光レベル設定部６３と、照明負荷Ｌの点灯と消灯を手動で切り替えるためのスライド式の手動スイッチ６４とを備えている。
【００２２】
明るさセンサ設定部６０は、図４（ｂ）に示すように、カバー８２の前面８２０に露出する操作部６００へのユーザの操作によって明るさセンサ５の基準照度を「暗め」（例えば５Ｌｘ以下）から「明るめ」（例えば１００Ｌｘ以上）までの範囲で設定可能とするものである。また、「切」に設定すると明るさセンサ５の機能を停止させる。操作部６００への操作によって、周囲が明るいときに照明負荷Ｌを点灯させることを防止することができるので、省エネルギー化を図ることができる。
【００２３】
動作保持時間設定部６１は、カバー８２の前面８２０に露出する操作部６１０へのユーザの操作によって照明負荷Ｌの動作保持時間を設定するものである。動作保持時間は１０秒から３０分までの範囲で設定可能である。これにより、照明負荷Ｌの動作保持時間の最適化を図ることができる。
【００２４】
調光時間設定部６２は、カバー８２の前面８２０に露出する操作部６２０へのユーザの操作によって調光モードを最大８時間設定可能である。また、「連続入」に設定すると常に調光モードを選択するようになる。
【００２５】
調光レベル設定部６３は、カバー８２の前面８２０に露出する操作部６３０へのユーザの操作によって、調光モード選択時の照明負荷Ｌの調光レベルを、全点灯（１００％点灯）に対して０．２％点灯から５０％点灯までの範囲で設定可能とするものである。
【００２６】
手動スイッチ６４は、スライド釦６４０によって「切」、「自動」、「連続入」の各状態に切り替えるものである。ユーザがスライド釦６４０を「切」に合わせると、照明負荷Ｌを強制的に消灯させ、スライド釦６４０を他に合わせない限り、消灯状態を継続させる。スライド釦６４０を「自動」に合わせると、熱線センサ４及び明るさセンサ５の検知に基づいて照明負荷Ｌを点灯させたり、消灯させたりすることができる。一方、スライド釦６４０を「連続入」に合わせると、スライド釦６４０を他に合わせない限り、照明負荷Ｌを強制的に連続点灯させる。これにより、照明負荷Ｌを手動で強制点灯させたり強制消灯させたりすることができる。
【００２７】
図１に示す制御回路７はマイクロコンピュータなどを備え、熱線センサ４が人体からの熱線を検知すると照明負荷Ｌを全点灯させる通常モード、及び熱線センサ４が人体からの熱線を検知すると照明負荷Ｌを調光点灯させる調光モードを有する。ただし、明るさセンサ５が基準照度より高い照度を検知した場合、制御回路７は、熱線センサ４が人体からの熱線を検知しても、照明負荷Ｌを点灯させない。
【００２８】
制御回路７は、明るさセンサ５が検知した照度が基準照度以下であるときに、熱線センサ４が熱線を検知すると、熱線センサ４及び明るさセンサ５から検知信号を取得し、取得した検知信号をＡ／Ｄ変換する。そして、制御回路７は、ゼロクロス回路７０からゼロクロス信号を取得し、トライアック３を位相制御するためにトライアック制御回路３０を制御して照明負荷Ｌを点灯させる。また、制御回路７は、調光時間設定部６２で設定された調光モード選択時では、調光レベル設定部６３で設定された調光レベルで照明負荷Ｌを調光点灯させる。
【００２９】
また、制御回路７は、子器Ｍから検知信号を受信する子器回路７１と接続し、子器Ｍからの検知信号に基づいて照明負荷Ｌの点灯と消灯を切り替える。例えば、制御回路７は、調光モードのときに子器Ｍが人体を検知すると照明負荷Ｌを調光点灯させる。
【００３０】
次に、この熱線センサ付自動スイッチＡの機構的構成について説明する。この熱線センサ付自動スイッチＡは、図２に示すような外観であり、例えば住宅の壁面に取付可能な構造を有しており、図３に示すように、ボディ８１とカバー８２とから構成される器体８０と、カバー８２の前面８２０に取り付けられる化粧カバー８３と、化粧カバー８３に回動自在に枢着される扉８４と、照明負荷Ｌ（図１参照）の点灯と消灯を制御するための部品が実装された実装部８５とを備えている。
【００３１】
器体８０は直方体状であって、前面開口した合成樹脂製のボディ８１と、後面開口した合成樹脂製のカバー８２とから構成され、ＪＩＳで規格化された単位モジュール寸法（１個モジュール寸法）の埋込型配線器具３個分に相当する寸法に形成された１連用モジュールである。このような形状の器体８０は端子群１及び実装部８５を収納する。
【００３２】
ボディ８１は、上面８１０及び下面８１１のそれぞれに１対ずつ設けられた組立突起８１２，８１２を備えている。
【００３３】
一方、カバー８２の上面８２１及び下面８２２のそれぞれには、組立孔８２３，・・・が１対ずつ形成されている。このカバー８２は、各組立孔８２３にボディ８１の組立突起８１２が係合することによって、ボディ８１と互いの開口を合わせて結合する。また、カバー８２の左右方向（図３のＹ軸方向）の各側壁には、取付枠９に固定されるための取付爪８２４が設けられている。
【００３４】
取付枠９は、ＪＩＳで規格化された単位モジュール寸法の埋込型配線器具を長手方向（図３のＺ軸方向）に３個並べて取付可能なものである。この取付枠９には、配線器具を取り付けるための器具取付孔９０，・・・が両側に３対ずつ形成されている。器具取付孔９０にカバー８２の取付爪８２４が係合することによって、器体８０が取付枠９に固定される。また、取付枠９には、ボックス螺子９１０，９１０を挿通するための長孔９１，９１が形成されている。各長孔９１に挿通されたボックス螺子９１０が、例えば壁面などの造営面に埋設された埋込ボックスのねじ部（図示せず）に螺合されることによって、取付枠９が造営材（図示せず）に固定される。
【００３５】
カバー８２の前面８２０には窓孔８６０，・・・が４つ形成され、各窓孔８６０を各操作部６００，６１０，６２０，６３０が挿通する。また、カバー８２の前面８２０には開口窓８６１が形成され、この開口窓８６１を手動スイッチ６４のスライド釦６４０が挿通する。さらに、カバー８２の下方には開口窓８６２が形成されている。
【００３６】
化粧カバー８３は薄肉部８３０を有し、この薄肉部８３０におけるカバー８２の各窓孔８６０に対応する部位には、各操作部６００，６１０，６２０，６３０を露出させるために、窓孔８３１，・・・が４つ形成されている。また、化粧カバー８３には、カバー８２の開口窓８６１に対向する位置に開口窓８３３が形成され、開口窓８６２に対向する位置に開口窓８３４が形成されている。
【００３７】
扉８４には、化粧カバー８３の左側面に設けられた枢支部８３２，８３２に枢支される軸部８４０が設けられている。化粧カバー８３の枢支部８３２，８３２に扉８４の軸部８４０を軸支させることで、扉８４は、各操作部６００，６１０，６２０，６３０を覆う位置（図２（ａ）参照）と、各操作部６００，６１０，６２０，６３０を露出させる位置（図２（ｂ）参照）とを選択自在として化粧カバー８３の前面に回動自在に取着される。
【００３８】
図３に示す実装部８５は、例えばプリント配線板などの回路基板８５０，８５１と、２枚の回路基板８５０，８５１の間に設けられた放熱板８５２と、熱線センサ４及び明るさセンサ５の前面側を覆うセンサカバー８５３とを備え、器体８０に収納される。回路基板８５０には、熱線センサ４及び明るさセンサ５と、明るさセンサ設定部６０と、動作保持時間設定部６１と、調光時間設定部６２と、調光レベル設定部６３と、手動スイッチ６４とが実装されている。
【００３９】
センサカバー８５３には、熱線センサ４及び明るさセンサ５を露出させる検知窓８５４が形成されている。この検知窓８５４を通して、熱線センサ４は人体からの熱線を外部から検知し、明るさセンサ５は周囲の明るさを検知する。また、センサカバー８５３と化粧カバー８３の間には１対のシャッター８５５，８５５が設けられている。各シャッター８５５は左右方向（図３のＹ軸方向）に可動自在であり、検知窓８５４の一部を覆う。つまり、ユーザによる各シャッター８５５への操作によって可動し、検知窓８５４の開閉具合が調整される。これにより、熱線センサ４及び明るさセンサ５の検知エリアを調整することができる。
【００４０】
次に、本実施形態の動作について図４を用いて説明する。通常時では通常モードが選択されている。つまり、通常時では、明るさセンサ５が検知した照度が基準照度以下であるときに、熱線センサ４が熱線を検知すると、図４（ａ）に示すように、制御回路７はトライアック３を位相制御して、照明負荷Ｌの調光レベルを全点灯になるまで徐々に上げていくソフト点灯を行う。その後、制御回路７は照明負荷Ｌを全点灯させる。その後、動作保持時間Ｔが経過する６秒前に、制御回路７は照明負荷Ｌの調光レベルを全点灯の５０％にして調光点灯させ、ユーザに消灯間近であることを知らせる。調光点灯を開始してから６秒後に、制御回路７は照明負荷Ｌを消灯させる。
【００４１】
ここで、ユーザは調光モード（深夜モード）を選択したい場合、図４（ｂ）に示す調光時間設定部６２の操作部６２０を操作して、調光モード及び調光モードの継続時間を設定する。続いて、調光レベル設定部６３の操作部６３０を操作して、調光モード選択時の照明負荷Ｌの調光レベルを設定する。これらの設定が行われた後、図４（ａ）に示すように、明るさセンサ５が検知した照度が基準照度以下であるときに、熱線センサ４が熱線を検知すると、制御回路７はトライアック３を位相制御して、照明負荷Ｌの調光レベルを、設定された調光レベルになるまで徐々に上げていくソフト点灯を行う。その後、制御回路７は照明負荷Ｌを、設定された調光レベルで調光点灯させる。その後、動作保持時間Ｔが経過する６秒前に、制御回路７は照明負荷Ｌの調光レベルを、設定された調光レベルの５０％にして調光点灯させ、ユーザに消灯間近であることを知らせる。設定された調光レベルの５０％とした調光点灯から６秒後に、制御回路７は照明負荷Ｌを消灯させる。調光モードの継続時間が経過すると、調光モードから通常モードに切り替わる。
【００４２】
一方、通常モード及び調光モードに関わらず、明るさセンサ５が検知した照度が基準照度より高いときに、熱線センサ４が熱線を検知しても、制御回路７は照明負荷Ｌを点灯させることはなく、消灯状態を継続させる。なお、これらの動作は、子器Ｍから検知信号を受信した場合も同様である。
【００４３】
以上、実施形態１によれば、調光モードでの照明負荷Ｌの調光レベルをユーザが設定することができるので、調光モードでの照明負荷Ｌの明るさをユーザの要望に応じて適宜調整することができる。
【００４４】
また、例えば廊下などで用いられる場合に子器Ｍを接続することによって、複数個所における人体検知に基づいて照明負荷Ｌを点灯制御することができる。
【００４５】
（実施形態２）
実施形態２の熱線センサ付自動スイッチＢは、図７に示すように、器体８０ａを構成するカバー８２ａの前面８２０ａの左方に枢支され右方で回動自在となる操作ハンドル８７を化粧カバー８３（図３参照）に代えて備える点、及びカバー８２ａの前面８２０ａに露出する操作子６５０を有し器体８０ａに収納される操作スイッチ６５を備える点で、実施形態１と相違している。また、図５に示す制御回路７ａの機能も実施形態１の制御回路７（図１参照）と相違している。なお、実施形態１と同様の構成要素については、同一の符号を付して説明を省略する。
【００４６】
まず、この熱線センサ付自動スイッチＢの機構的構成について図７を用いて説明する。カバー８２ａの前面８２０ａには４つの窓孔８６０，・・・の他に、回路基板８５０ａに実装された液晶モニタ６６を挿通するための四角形の窓孔８６３が１つ、操作子６５０を挿通するための窓孔８６４が１つ形成されている。また、カバー８２ａは、操作ハンドル８７を枢着するために、前面８２０ａの左側端部から前方に突出して一体に設けられた１対の軸部８６５，８６５を備えている。
【００４７】
操作ハンドル８７は合成樹脂で矩形板状に形成されたものであり、左側部８７０の背面に設けられた軸受部（図示せず）がカバー８２ａの軸部８６５，８６５に回動自在に枢支されることによって、カバー８２ａの前面８２０ａに回動自在に枢支される。
【００４８】
また、操作ハンドル８７は、カバー８２ａの前面８２０ａに露出する操作子６５０と対向する部位に設けられた押突起８７１を裏面に備えている。操作ハンドル８７の右側部８７２が押操作されると、操作ハンドル８７が軸部８６５，８６５を支点にして回動し、操作ハンドル８７の押突起８７１によって操作子６５０が押され、操作スイッチ６５のオンオフが切り替わる。一方、押圧する力が操作ハンドル８７からなくなると、操作ハンドル８７が操作子６５０の反力などを受けて復帰位置に戻る。
【００４９】
また、本実施形態では、操作ハンドル８７がカバー８２ａの上側に取り付けられるのに対し、カバー８２ａの下側には化粧カバー８３ａが取り付けられる。化粧カバー８３ａには、カバー８２ａの開口窓８６１に対向する位置に開口窓８３３が形成され、開口窓８６２に対向する位置に開口窓８３４が形成されている。
【００５０】
本実施形態の回路基板８５０ａの前面には、明るさセンサ設定部６０と、動作保持時間設定部６１と、調光時間設定部６２と、調光レベル設定部６３と、手動スイッチ６４とが実施形態１と同様に実装されているとともに、操作スイッチ６５が実装されている。この操作スイッチ６５の操作子６５０は、カバー８２ａの前面８２０ａに露出し、操作ハンドル８７で押駆動されるものである。
【００５１】
次に、熱線センサ付自動スイッチＢの回路的構成について図５を用いて説明する。本実施形態の制御回路７ａは、実施形態１と同様の機能を有するとともに、調光モードのときに操作ハンドル８７で操作スイッチ６５の操作子６５０が押されると、照明負荷Ｌを全点灯させ、照明負荷Ｌを全点灯させているときは調光モードに復帰させる。
【００５２】
次に、本実施形態の動作について説明する。実施形態１と同様に通常時では、通常モードが選択され、明るさセンサ５が検知した照度が基準照度以下であるときに、熱線センサ４が熱線を検知すると、制御回路７は照明負荷Ｌを動作保持時間Ｔが経過するまで全点灯させる。
【００５３】
ここで、ユーザは調光モード（深夜モード）を選択したい場合、実施形態１と同様に調光時間設定部６２の操作部６２０を操作して、調光モード及び調光モードの継続時間を設定する。続いて、調光レベル設定部６３の操作部６３０を操作して、調光モード選択時の照明負荷Ｌの調光レベルを設定する。これらの設定が行われた後、明るさセンサ５が検知した照度が基準照度以下であるときに、熱線センサ４が熱線を検知すると、制御回路７はトライアック３を位相制御して照明負荷Ｌを動作保持時間Ｔが経過するまで、設定された調光レベルで調光点灯させる。このとき、操作ハンドル８７を押すと、制御回路７ａはトライアック３を位相制御して照明負荷Ｌの点灯状態を調光点灯から全点灯に切り替える。さらに、操作ハンドル８７を押すと、制御回路７ａは照明負荷Ｌの点灯状態を全点灯から調光点灯に戻す。つまり、調光モードに復帰させる。その後、調光モードの継続時間が経過すると、実施形態１と同様に調光モードから通常モードに切り替わる。なお、他の動作は実施形態１と同様である。
【００５４】
以上、本実施形態によれば、ユーザによる操作ハンドル８７への押操作によって、調光モードの設定を保持したままで照明負荷Ｌの点灯状態の一時的な切替を容易に行うことができる。
【００５５】
なお、実施形態２において、図７に示す扉８４ａには、操作ハンドル８７に設けられた軸部８７３に枢支される軸部８４１，８４１が設けられている。このように操作ハンドル８７の軸部８７３に軸部８４１，８４１を軸支させることで、扉８４ａは、各操作部６００，６１０，６２０，６３０及び液晶モニタ６６を覆う位置（図６（ａ）参照）と、各操作部６００，６１０，６２０，６３０及び液晶モニタ６６を露出させる位置（図６（ｂ）参照）とを選択自在として操作ハンドル８７の前面に回動自在に取着される。
【００５６】
（実施形態３）
実施形態３の熱線センサ付自動スイッチＣは、図８に示すように、トライアック３と並列状態で、照明負荷Ｌ及び交流電源ＡＣの直列回路に挿入される接点式リレー３ａを備える点で、実施形態１と相違している。また、制御回路７ｂの機能も実施形態１の制御回路７（図１参照）と相違している。なお、実施形態１と同様の構成要素については、同一の符号を付して説明を省略する。
【００５７】
本実施形態の制御回路７ｂは、調光モードのときに熱線センサ４が人体を検知したときは、図１０（ａ）に示すように、実施形態１と同様にトライアック３を位相制御することによって（図１０（ａ）の「ハイブリッドトライアック動作」参照）、照明負荷Ｌをソフト点灯させ、その後、設定された調光レベルで調光点灯させる。調光点灯を終了するときも、図１０（ｂ）に示すように、消灯間近であることを知らせるために、設定された調光レベルの５０％にして調光点灯させ、その後、照明負荷Ｌを消灯させる。このとき、接点式リレー３ａはオフ状態である。
【００５８】
これに対して、通常モードのときに熱線センサ４が人体を検知すると、制御回路７ｂは、まず、図９（ａ）に示すように、照明負荷Ｌの点灯開始時では、調光モードのときと同様に接点式リレー３ａをオフにしたまま、トライアック３を位相制御し、照明負荷Ｌをソフト点灯（調光点灯）させる。点灯開始時の一定期間経過後つまりソフト点灯終了後、制御回路７ｂは、まずトライアック３を位相制御して（図９（ａ）の「ハイブリッドトライアック動作」参照）、照明負荷Ｌを全点灯させる。トライアック３を位相制御した後（例えば４０ミリ秒後）、制御回路７ｂは接点式リレー３ａにセット信号を出力して接点式リレー３ａをオンにする。その後（例えば４０ミリ秒後）、制御回路７ｂはトライアック３をオフ状態にする。上記より、制御回路７ｂは照明負荷Ｌの点灯状態を調光点灯から全点灯にさせることができる。
【００５９】
一方、全点灯を終了するときは、図９（ｂ）に示すように、制御回路７ｂは、トライアック３を位相制御するとともに（図９（ｂ）の「ハイブリッドトライアック動作」参照）、接点式リレー３ａにリセット信号を出力する（図９（ｂ）の「ハイブリッドリレー（ＲＳＥＴ）動作」参照）。このとき、照明負荷Ｌは全点灯したままである。その後（例えば１００ミリ秒後）、制御回路７ｂはトライアック３を位相制御して照明負荷Ｌの点灯状態を全点灯から調光点灯にして、消灯間近であることを知らせてから照明負荷Ｌを消灯にする。
【００６０】
以上、本実施形態によれば、通常モードのときに照明負荷Ｌを全点灯させる場合にトライアック３ではなく接点式リレー３ａを用いることによって、照明負荷Ｌが高容量負荷であってもトライアック３の温度上昇を防止することができる。一方、照明負荷Ｌに対して、点灯開始時及び点灯終了時に接点式リレー３ａをオフにしトライアック３を位相制御することによって、例えば連続的に調光レベルを高くして点灯させるソフト点灯や、点灯終了を知らせるために段階的に調光レベルを下げて点灯させるお知らせ消灯などを行うことができ、高級感を演出することができる。また、調光モードのときにおいても、接点式リレー３ａをオフにしトライアック３を位相制御することによって、調光レベルを任意に調整することができる。
【００６１】
なお、実施形態３の変形例として、実施形態３の接点式リレー３ａを実施形態２に用いてもよい。このような構成にした場合、図１１（ａ）に示すように、調光モードのときにユーザによって操作ハンドル８７（図７参照）が押されると、制御回路７ａ（図５参照）は、まずトライアック３を位相制御して（図１１（ａ）の「ハイブリッドトライアック動作」参照）、照明負荷Ｌを全点灯させる。トライアック３を位相制御した後（例えば４０ミリ秒後）、制御回路７ａは接点式リレー３ａにセット信号を出力して接点式リレー３ａをオンにする。その後（例えば４０ミリ秒後）、制御回路７ａはトライアック３をオフ状態にする。上記より、制御回路７ａは照明負荷Ｌの点灯状態を調光点灯から全点灯にさせることができる。
【００６２】
その後、ユーザによって操作ハンドル８７が押されると、図１１（ｂ）に示すように、制御回路７ａは、トライアック３を位相制御するとともに（図１１（ｂ）の「ハイブリッドトライアック動作」参照）、接点式リレー３ａにリセット信号を出力する（図１１（ｂ）の「ハイブリッドリレー（ＲＳＥＴ）動作」参照）。このとき、照明負荷Ｌは全点灯したままである。その後（例えば１００ミリ秒後）、制御回路７ａはトライアック３を位相制御して照明負荷Ｌの点灯状態を全点灯から調光点灯にする。
【００６３】
また、実施形態１〜３の変形例として、トライアック３に代えて、例えばサイリスタなど他の半導体スイッチを備えてもよい。このような構成においても、実施形態１〜３と同様の効果を奏する。
【図面の簡単な説明】
【００６４】
【図１】実施形態１の回路ブロック図である。
【図２】同上を示し、（ａ）は扉が閉まった状態の外観斜視図、（ｂ）は扉が開いた状態の外観斜視図である。
【図３】同上の分解斜視図である。
【図４】同上の動作を説明する説明図である。
【図５】実施形態２の回路ブロック図である。
【図６】同上を示し、（ａ）は扉が閉まった状態の外観斜視図、（ｂ）は扉が開いた状態の外観斜視図である。
【図７】同上の分解斜視図である。
【図８】実施形態３の回路ブロック図である。
【図９】同上の動作を説明する説明図である。
【図１０】同上の動作を説明する説明図である。
【図１１】実施形態３の変形例の動作を説明する説明図である。
【図１２】従来例の動作を説明する説明図である。
【図１３】同上の動作を説明する説明図である。
【符号の説明】
【００６５】
Ａ〜Ｃ  熱線センサ付自動スイッチ
３  トライアック
３ａ  接点式リレー
４  熱線センサ
６２  調光時間設定部
６３  調光レベル設定部
６５  操作スイッチ
６５０  操作子
７  制御回路
８０  器体
８７  操作ハンドル
Ｍ  子器
ＡＣ  交流電源
Ｌ  照明負荷
【図１】
2008270103.tif 000003
【図２】
2008270103.tif 000004
【図３】
2008270103.tif 000005
【図４】
2008270103.tif 000006
【図５】
2008270103.tif 000007
【図６】
2008270103.tif 000008
【図７】
2008270103.tif 000009
【図８】
2008270103.tif 000010
【図９】
2008270103.tif 000011
【図１０】
2008270103.tif 000012
【図１１】
2008270103.tif 000013
【図１２】
2008270103.tif 000014
【図１３】
2008270103.tif 000015